(57)【要約】【課題】ユーザ個人の体組成の変化を分かりやすく表示することのできる体組成計を提供すること。【解決手段】体組成計は、複数の電極を用いてユーザの体組成を算出するための体組成算出部と、ユーザの過去の体組成に関連した基準値の情報を記憶するための基準値記憶領域と、所定のグラフＧ１〜Ｇ４に、体組成算出部により算出された今回の体組成の位置（ＢＲ１）と基準値の位置（ライン６２）とを表示するための制御を行なう表示制御部と、表示制御部からの出力に応じた表示をするための表示部１５とを備える。【選択図】図１０
2007244728.tif 000002
【特許請求の範囲】
【請求項１】
ユーザの身体の表面に接触させるための複数の電極と、
前記電極を用いて前記ユーザの体組成を算出するための第１の算出手段と、
前記ユーザの過去の体組成に関連した基準値の情報を記憶するための記憶手段と、
所定のグラフに、前記第１の算出手段により算出された今回の体組成の位置と前記基準値の位置とを表示するための制御を行なう表示制御手段と、
前記表示制御手段からの出力に応じた表示をするための表示手段とを備える、体組成計。
【請求項２】
前記所定のグラフにおいて、前記基準値の位置は、固定された所定の位置である、請求項１に記載の体組成計。
【請求項３】
前記所定のグラフは、前記基準値の位置の前後それぞれに配置された第１のブロック群と第２のブロック群とを有する、請求項２に記載の体組成計。
【請求項４】
前記第１のブロック群に含まれるブロックの個数は、前記第２のブロック群に含まれるブロックの個数よりも多い、請求項３に記載の体組成計。
【請求項５】
前記基準値は、過去の特定の時点において前記第１の算出手段により算出された体組成に対応する、請求項２に記載の体組成計。
【請求項６】
前記表示制御手段は、前記今回の体組成と前記基準値とに基づいて、前記今回の体組成に対応する前記所定のグラフにおける構成要素の表示形態を決定するための第１の決定手段を含む、請求項５に記載の体組成計。
【請求項７】
前記表示制御手段は、前記基準値に基づいて、前記所定のグラフにおいて表示可能な体組成の値の範囲を決定するための第２の決定手段をさらに含み、
前記第１の決定手段は、さらに前記第２の決定手段により決定された前記範囲に基づいて、前記表示形態を決定する、請求項６に記載の体組成計。
【請求項８】
前記ユーザからの指示を受付けるための操作手段と、
前記基準値の情報を前記記憶手段に記憶させる処理を行なうための記憶処理手段とをさらに備え、
前記記憶処理手段は、前記ユーザから所定の指示が入力された場合に、前記基準値を更新するための第１の更新手段を含む、請求項５に記載の体組成計。
【請求項９】
前記第１の更新手段は、前記所定の指示が、前記今回の体組成の測定の際に入力された場合には、前記基準値を前記今回の体組成に更新する、請求項８に記載の体組成計。
【請求項１０】
日時を計時するためのタイマをさらに備え、
前記記憶手段には、測定ごとに、前記第１の算出手段により算出された体組成が測定日時と対応付けられて記憶され、
前記記憶手段において所定の第１の期間以内の測定日時と対応付けられた体組成と、前記今回の体組成との平均値を算出するための第２の算出手段をさらに備え、
前記記憶処理手段は、
前記記憶手段に前記基準値の情報が記憶されているか否かを判断するための判断手段と、
前記記憶手段に前記基準値の情報が記憶されていないと判断された場合であって、かつ、前記記憶手段に前記第１の期間分の体組成が記憶されている場合には、前記平均値を、前記基準値として設定するための設定手段とをさらに含む、請求項８に記載の体組成計。
【請求項１１】
前記表示制御手段は、前記所定のグラフに、前記平均値の位置をさらに表示する、請求項１０に記載の体組成計。
【請求項１２】
前記基準値の情報は、前記基準値の設定日の情報を含み、
前記設定日から所定の第２の期間が経過した場合に、前記基準値を更新するよう報知するための報知手段をさらに備える、請求項８に記載の体組成計。
【請求項１３】
前記記憶処理手段は、前記今回の体組成が前記所定のグラフにおいて表示可能な範囲の上限または下限に達した場合に、前記基準値を前記今回の体組成に更新するための第２の更新手段をさらに含む、請求項８に記載の体組成計。
【請求項１４】
前記今回の体組成が前記所定のグラフにおいて表示可能な範囲の上限または下限に近づいた場合に、前記基準値を更新するよう報知するための報知手段をさらに備える、請求項８に記載の体組成計。
【請求項１５】
前記表示制御手段は、前記今回の体組成と前記ユーザの属性における所定の標準値との比較結果を、前記所定のグラフの近傍にさらに表示する、請求項１に記載の体組成計。
【請求項１６】
前記ユーザにより入力された目標値を記憶するための目標値記憶手段をさらに備え、
前記表示制御手段は、
前記今回の体組成が以前よりも前記目標値に近づいたか否かに基づいて、予め定められた第１のマークおよび第２のマークのうちの１つを選択するための選択手段を含み、
前記所定のグラフとともに、前記選択手段により選択されたマークをさらに表示する、請求項１に記載の体組成計。
【請求項１７】
前記表示制御手段は、
前記今回の体組成が以前よりも望ましい傾向に変化したか否かに基づいて、予め定められた第１のマークおよび第２のマークのうちの１つを選択するための選択手段を含み、
前記所定のグラフとともに、前記選択手段により選択されたマークをさらに表示する、請求項１に記載の体組成計。
【発明の詳細な説明】
【技術分野】
【０００１】
本発明は、体組成計に関し、特に、生体電気インピーダンス法によって身体の組成成分を算出する体組成計に関する。
【背景技術】
【０００２】
従来の体組成計において、身体の組成成分（以下「体組成」という）の測定結果は、種々の態様で表示されている。たとえば、特許文献１では、体脂肪率の測定結果の多少が、やせ・標準・軽肥満・肥満という表現を用いて合計１２段階でバー表示されることが記載されている。また、特許文献２では、内臓脂肪面積の測定結果の多少が、標準・やや過剰・過剰の３つのエリアにまたがってバー表示されることが開示されている。
【０００３】
また、別の機会の測定値または別の種類の測定値との比較結果を、ユーザに分かりやすく表示するための提案もなされている。たとえば特許文献３には、測定結果を平均値と比較し、その結果をバー表示やレーダーチャートで表示することが開示されている。またこの文献には、予め設定された目標値との比較結果を数値表示、もしくは音、音声、色表示させることが開示されている。特許文献４には、体脂肪、内臓脂肪、基礎代謝の測定結果を過去の値と比較し、増減の傾向を矢印の向きで表示することが開示されている。
【０００４】
また、特許文献５には、筋肉率と体脂肪率の増減を比較し、良い傾向であるとき（体脂肪が多く減り、筋肉の減少がそれに比べて少ないとき）と、悪い傾向であるときとで、ＬＣＤの背景色を変化させることが開示されている。
【特許文献１】特開平１１−７６１８７号公報
【特許文献２】特開２００２−２３８８７０号公報
【特許文献３】特開２００４−１８０９３９号公報
【特許文献４】特開２００４−４１８１１号公報
【特許文献５】特開２００５−２６１４８８号公報
【発明の開示】
【発明が解決しようとする課題】
【０００５】
しかしながら、このような従来の体組成計にあっては、以下のような問題点がある。特許文献１〜３のように、平均値との比較結果を表示する場合、測定値の多少を判定する比較対象はデータベース全体のユーザであり、ユーザ個人の過去の測定値と現在の測定値を比較して表示することはできない。また、特許文献４のように、ユーザ個人の過去の測定値と比較できるものであっても、矢印の向きによって表示されるため、変化の程度がわかりにくい。
【０００６】
また、特許文献５では、変化の傾向が色で表示され見やすいものの、目標値または理想的な減量の途中経過に対しての変化の傾向が分かりにくい。
【０００７】
本発明は、上記のような問題を解決するためになされたものであって、その目的は、ユーザ個人の体組成の変化を分かりやすく表示することのできる体組成計を提供することである。
【０００８】
あるいは、ユーザ個人の体組成の変化の傾向が、目標値または理想的な途中経過に対して良い傾向であるか悪い傾向であるかを、ユーザが理解しやすい態様で表示することのできる体組成計を提供することを目的とする。
【課題を解決するための手段】
【０００９】
この発明のある局面に従う体組成計は、ユーザの身体の表面に接触させるための複数の電極と、電極を用いてユーザの体組成を算出するための第１の算出手段と、ユーザの過去の体組成に関連した基準値の情報を記憶するための記憶手段と、所定のグラフに、第１の算出手段により算出された今回の体組成の位置と基準値の位置とを表示するための制御を行なう表示制御手段と、表示制御手段からの出力に応じた表示をするための表示手段とを備える。
【００１０】
「体組成」は、体脂肪率、筋肉率、除脂肪量、体脂肪量、筋肉量、内臓脂肪レベル、基礎代謝、ＢＭＩ、および、年齢指標（基礎代謝が何歳の平均値に相当するかを表わす指標）のうち少なくとも１つを含むことが望ましい。
【００１１】
好ましくは、所定のグラフにおいて、基準値の位置は、固定された所定の位置である。
好ましくは、所定のグラフは、基準値の位置の前後それぞれに配置された第１のブロック群と第２のブロック群とを有する。
【００１２】
好ましくは、第１のブロック群に含まれるブロックの個数は、第２のブロック群に含まれるブロックの個数よりも多い。
【００１３】
好ましくは、基準値は、過去の特定の時点において第１の算出手段により算出された体組成に対応する。
【００１４】
好ましくは、表示制御手段は、今回の体組成と基準値とに基づいて、今回の体組成に対応する所定のグラフにおける構成要素の表示形態を決定するための第１の決定手段を含む。
【００１５】
好ましくは、表示制御手段は、基準値に基づいて、所定のグラフにおいて表示可能な体組成の値の範囲を決定するための第２の決定手段をさらに含み、第１の決定手段は、さらに第２の決定手段により決定された範囲に基づいて、表示形態を決定する。
【００１６】
好ましくは、ユーザからの指示を受付けるための操作手段と、基準値の情報を記憶手段に記憶させる処理を行なうための記憶処理手段とをさらに備え、記憶処理手段は、ユーザから所定の指示が入力された場合に、基準値を更新するための第１の更新手段を含む。
【００１７】
好ましくは、第１の更新手段は、所定の指示が、今回の体組成の測定の際に入力された場合には、基準値を今回の体組成に更新する。
【００１８】
好ましくは、日時を計時するためのタイマをさらに備え、記憶手段には、測定ごとに、第１の算出手段により算出された体組成が測定日時と対応付けられて記憶され、記憶手段において所定の第１の期間以内の測定日時と対応付けられた体組成と、今回の体組成との平均値を算出するための第２の算出手段をさらに備え、記憶処理手段は、記憶手段に基準値の情報が記憶されているか否かを判断するための判断手段と、記憶手段に基準値の情報が記憶されていないと判断された場合であって、かつ、記憶手段に第１の期間分の体組成が記憶されている場合には、平均値を、基準値として設定するための設定手段とをさらに含む。
【００１９】
好ましくは、表示制御手段は、所定のグラフに、平均値の位置をさらに表示する。
好ましくは、基準値の情報は、基準値の設定日の情報を含み、設定日から所定の第２の期間が経過した場合に、基準値を更新するよう報知するための報知手段をさらに備える。
【００２０】
好ましくは、記憶処理手段は、今回の体組成が所定のグラフにおいて表示可能な範囲の上限または下限に達した場合に、基準値を今回の体組成に更新するための第２の更新手段をさらに含む。
【００２１】
好ましくは、今回の体組成が所定のグラフにおいて表示可能な範囲の上限または下限に近づいた場合に、基準値を更新するよう報知するための報知手段をさらに備える。
【００２２】
好ましくは、表示制御手段は、今回の体組成とユーザの属性における所定の標準値との比較結果を、所定のグラフの近傍にさらに表示する。
【００２３】
好ましくは、ユーザにより入力された目標値を記憶するための目標値記憶手段をさらに備え、表示制御手段は、今回の体組成が以前よりも目標値に近づいたか否かに基づいて、予め定められた第１のマークおよび第２のマークのうちの１つを選択するための選択手段を含み、所定のグラフとともに、選択手段により選択されたマークをさらに表示する。
【００２４】
好ましくは、表示制御手段は、今回の体組成が以前よりも望ましい傾向に変化したか否かに基づいて、予め定められた第１のマークおよび第２のマークのうちの１つを選択するための選択手段を含み、所定のグラフとともに、選択手段により選択されたマークをさらに表示する。
【発明の効果】
【００２５】
本発明によると、ユーザは、今回の体組成が基準値からどれ位変化したかを直感的に把握することができる。
【００２６】
または、ユーザは、体組成の測定値が、目標値または理想的な途中経過に対して良い傾向に変化しているのか、悪い傾向に変化しているのかを、容易に理解することができる。
【発明を実施するための最良の形態】
【００２７】
本発明の実施の形態について図面を参照しながら詳細に説明する。なお、図中同一または相当部分には同一符号を付してその説明は繰返さない。
【００２８】
［実施の形態１］
＜本発明の実施の形態１における体組成計の外観および構成＞
図１は、本発明の実施の形態１における体組成計１００の外観の一例を示す図である。
【００２９】
図１を参照して、体組成計１００は、ユーザが両手で把持可能な上肢ユニット１と、ユーザの両足を載置可能な下肢ユニット２と、上肢ユニット１および下肢ユニット２を電気的に接続するためのケーブル３とを備える。
【００３０】
上肢ユニット１は、本体部１０ａと本体部１０ａの左右にそれぞれ設けられたグリップ１０ｂ，１０ｃとを含む。本体部１０ａには、測定結果や各種情報を表示するための表示部１５、および、ユーザにより操作されて、ユーザからの指示や各種情報の入力を受付けるための操作部１６が設けられる。グリップ１０ｂ，１０ｃには、複数の電極Ｅ１１，Ｅ１２，Ｅ１３，Ｅ１４が設けられる。グリップ１０ｂ，１０ｃは、ユーザが両手で把持可能に構成されている。左手用のグリップ１０ｂには、電極Ｅ１１，Ｅ１３が、右手用のグリップ１０ｃには、電極Ｅ１２，Ｅ１４が設けられている。グリップ１０ｂ，１０ｃの上部側（測定姿勢においてユーザの頭部側）にそれぞれ設けられた電極Ｅ１１，Ｅ１２は電流印加用電極であり、グリップ１０ｂ，１０ｃの下部側にそれぞれ設けられた電極Ｅ１３，Ｅ１４は電圧検知用電極である。なお、ここでは、上肢ユニット１がハンドル状に構成されたグリップ１０ｂ，１０ｃを含むものとして説明するが、このような形態に限定されるものではない。ユーザが上肢ユニット１を両手で把持可能であって、かつ、両手で把持される部分に電極Ｅ１１〜Ｅ１４が配置されていればよい。つまり、ユーザの左手に電極Ｅ１１，Ｅ１３が、右手に電極Ｅ１２，Ｅ１４がそれぞれ接触されればよい。
【００３１】
下肢ユニット２の上面（ユーザが両足を載置するための面）には、複数の電極Ｅ２１，Ｅ２２，Ｅ２３，Ｅ２４が設けられる。これらの電極のうち、下肢ユニット２の前方側（測定姿勢においてユーザのつま先側）にそれぞれ設けられた電極Ｅ２１，Ｅ２２は電流印加用電極であり、下肢ユニット２の後方側（測定姿勢においてユーザの踵側）にそれぞれ設けられた電極Ｅ２３，Ｅ２４は電圧検知用電極である。また、下肢ユニット２は、上肢ユニット１を収納するための収納部２０を含む。
【００３２】
以下の説明において、電極Ｅ１１〜Ｅ１４を総称して「手用電極Ｅ１０」、電極Ｅ２１〜Ｅ２４を総称して「足用電極Ｅ２０」という。
【００３３】
図２は、本発明の実施の形態１における体組成計１００のハードウェア構成を示すブロック図である。
【００３４】
上肢ユニット１は、上記した手用電極Ｅ１０、表示部１５および操作部１６に加え、手用電極Ｅ１０および足用電極Ｅ２０の双方により、ユーザの手足間に電流を印加して少なくとも手足間（全身）の電位差を検出するための検出部１１と、体組成計１００全体の制御をするための制御部１２と、日時を計測するためのタイマ１３と、各種データおよびプログラムを記憶するためのメモリ１４と、制御部１２に電源を供給するための電源部１７とをさらに含む。
【００３５】
下肢ユニット２は、上記した足用電極Ｅ２０に加え、ユーザの体重を測定するための体重測定部２２をさらに含むことが望ましい。体重測定部２２は、たとえばセンサにより構成される。
【００３６】
メモリ１４は、たとえば、フラッシュメモリなどの不揮発性メモリにより構成される。メモリ１４の構造例については、後に詳述する。
【００３７】
表示部１５は、たとえばＬＣＤ（Liquid Crystal Display）により構成される。
操作部１６は、たとえば、複数のボタンを含む。図３は、操作部１６に含まれる複数のボタンの具体例を示す図である。図３を参照して、操作部１６は、電源のＯＮ／ＯＦＦを指示するための電源ボタン１６Ａ、過去の測定情報の表示を指示するためのメモリボタン１６Ｂ、測定開始を指示するための測定ボタン１６Ｃ、表示部１５に表示中の情報の、他の情報への切替えを指示するための表示切替ボタン１６Ｄ、後述する基準値の設定／更新を指示するためのリセットボタン１６Ｅ、表示部１５に表示されたカーソル（図示せず）を左右に移動させるための左右ボタン１６Ｆ，１６Ｇを含む。なお、複数のユーザが体組成計１００を使用できるように、操作部１６に、複数たとえば４つの個人番号ボタン１６Ｈ，１６Ｉ，１６Ｊ，１６Ｋが含まれてもよい。本実施の形態では、このような個人番号ボタン１６Ｈ，１６Ｉ，１６Ｊ，１６Ｋが操作部１６に含まれているものとして説明する。
【００３８】
検出部１１は、制御部１２により制御されて電極の切替を行なう。検出部１１は、さらに、手用電極Ｅ１０および足用電極Ｅ２０のいずれか一方により、ユーザの両手間または両足間に電流を印加して両手間または両足間の電位差を検出することが好ましい。検出された電位差の情報は、制御部１２に出力される。検出部１１は、たとえば、手用電極Ｅ１０および足用電極Ｅ２０の全てと接続され、制御部１２からの指示に応じて電極を切替えるための切替スイッチ（図示せず）と、切替スイッチにより選択されている少なくとも１対の電流用電極に定電流を流すための定電流発生部（図示せず）とを有し、電流用電極を介して定電流がユーザに印加された状態において、切替スイッチにより選択されている少なくとも１対の電圧用電極の電位差を検出する。
【００３９】
制御部１２は、たとえばＣＰＵ（Central Processing Unit）により構成される。制御部１２は、ユーザの体組成を算出するための体組成算出部１２１と、体組成算出部１２１により算出された体組成の算出結果を表示部１５に表示する制御を行なうための表示制御部１２２と、基準値の情報をメモリ１４の所定の領域に記憶させる処理を行なうための基準値記憶処理部１２３とを含む。
【００４０】
体組成算出部１２１は、検出部１１により検出された手足間、両手間および両足間の電位差それぞれに基づき、全身インピーダンス、両手間インピーダンスおよび両足間インピーダンスを計測する。そして、計測されたこれらのインピーダンスに基づき、ユーザの体組成を算出する。
【００４１】
各インピーダンスは、具体的には次のようにして計測される。全身インピーダンスを計測する場合、体組成算出部１２１は、電極Ｅ１１，Ｅ１２から電極Ｅ２１，Ｅ２２に電流を流し、被験者の全身に電流が印加された状態において、電極Ｅ１３，Ｅ１４と電極Ｅ２３，Ｅ２４との間の電位差を検出する制御を行なう。このようにして検出された全身電位差に基づき、全身インピーダンスが算出（計測）される。なお、全身インピーダンスを計測する場合、電極Ｅ１１と電極Ｅ１２、電極Ｅ２１と電極Ｅ２２、電極Ｅ１３と電極Ｅ１４、および、電極Ｅ２３と電極Ｅ２４は、それぞれ短絡させることが好ましい。両手間インピーダンスを計測する場合、体組成算出部１２１は、電極Ｅ１１と電極Ｅ１２との間に電流を流し、被験者の両手間に電流が印加された状態において、電極Ｅ１３と電極Ｅ１４との間の電位差を検出する制御を行なう。両足間インピーダンスを計測する場合、体組成算出部１２１は、電極Ｅ２１と電極Ｅ２２との間に電流を流し、被験者の両足間に電流が印加された状態において、電極Ｅ２３と電極Ｅ２４との間の電位差を検出する制御を行なう。
【００４２】
本実施の形態において、体組成算出部１２１は、全身インピーダンス、両手間インピーダンスおよび両足間インピーダンスに基づき、全身および部位（たとえば、腕、体幹、脚）ごとの体脂肪率と、全身および部位ごとの筋肉率と、年齢指標とを算出する。
【００４３】
全身の体脂肪率（％ＦＡＴ）の計算式は、たとえば、次式（１），（２）で表わされる。
【００４４】
％ＦＡＴ＝（Ｗ−ＦＦＭ）／Ｗ・１００      …（１）
ＦＦＭ  ＝ａ・Ｈ２／Ｚｗ＋ｂ・Ｗ＋ｃ・Ａｇ＋ｄ      …（２）
（ただし、ＦＦＭ：除脂肪量、Ｗ：体重、Ｈ：身長、Ｚｗ：全身インピーダンス、Ａｇ：年齢、ａ〜ｄ：定数）
定数ａ〜ｄは、たとえばＤＥＸＡ（Dual energy X-ray absorptiometry）などで測定されたリファレンスとの相関により予め定められるものとする。また、これらの定数ａ〜ｄは、性別ごとに異なってもよい。
【００４５】
部位ごとの体脂肪率は、たとえば、計測された両手間インピーダンスおよび両足間インピーダンスとユーザの身体情報とから、予めＤＥＸＡなどで測定されたリファレンスとの相関に基づき計算される。
【００４６】
また、全身および部位ごとの筋肉率についても、体脂肪率の場合と同様に、公知の手法により算出することができる。
【００４７】
年齢指標は、たとえば、基礎代謝量と、メモリ１４に記憶された所定の年齢指標対応テーブル（図示せず）とに基づいて、算出（選択）される。基礎代謝量は、公知の手法により算出されてよい。上記の年齢指標対応テーブルには、基礎代謝量の値と、各値に対応する標準的な年齢とが対応付けられているものとする。
【００４８】
表示制御部１２２は、所定のグラフに、体組成算出部１２１で算出された今回の体組成の位置と、基準値の位置とを表示部１５に表示するための制御を行なう。これにより、表示部１５には、今回の体組成の位置と基準値の位置とが示されたグラフが表示される。
【００４９】
「基準値」は、過去の特定の時点において体組成算出部１２１で算出された体組成に対応している。所定のグラフにおいて、基準値の位置は、固定された所定の位置であることが好ましい。本実施の形態において、基準値の位置は、表示部１５を構成する液晶によって表示されることとして説明する。なお、基準値の位置は、本体部１０ａの筐体の表面（たとえば、表示部１５の表面）に予め表示されていてもよい。
【００５０】
本実施の形態において、所定のグラフは、基準値の位置の前後（‘−’側および‘＋’側）それぞれに配置された第１のブロック群と第２のブロック群とを有している。このようなグラフは、たとえば棒グラフである。第１のブロック群に含まれるブロックの個数は、第２のブロック群に含まれるブロックの個数よりも多いことが好ましい。なお、「ブロック」とは、グラフにおいて値の変化を表示可能な最小単位を表わし、各ブロックの形状、大きさおよびブロック間の距離は、等しいものとする。
【００５１】
表示制御部１２２は、今回の体組成の値と基準値とに基づいて、今回の体組成に対応する棒グラフにおける構成要素の表示形態を決定する。すなわち、表示制御部１２２は、第１のブロック群および第２のブロック群のうち反転表示するブロックの個数を算出する。
【００５２】
なお、表示制御部１２２は、基準値に基づいて、棒グラフに表示可能な体組成の値の範囲（以下「表示幅」という）を決定する処理を行なうことが好ましい。これにより、今回の体組成に対応する棒グラフにおける構成要素の表示形態は、今回の体組成の値、基準値および決定された表示幅に基づいて、決定される。表示幅を決定するための処理の具体例については後述する。
【００５３】
基準値記憶処理部１２３は、ユーザがリセットボタン１６Ｅを押下した場合に、基準値を設定／更新する。基準値の設定／更新の具体例については後に詳述する。
【００５４】
制御部１２は、さらに、体組成算出部１２１により算出された今回の体組成の値と、現在日（今回の体組成の測定日）より所定期間（たとえば１週間）以内に測定された体組成の値との平均（以下「週平均値」という）を算出してもよい。この場合、表示制御部１２２は、棒グラフにおける、週平均値に対応するブロックの位置を特定し、当該ブロックの表示色を変更することが好ましい。
【００５５】
また、制御部１２は、さらに、ユーザの属性における一般評価を算出することとしてもよい。「属性」とは、たとえば、年齢および性別のうち少なくとも１つにより分類されるグループを表わす。一般評価の算出は、具体的には、たとえば以下のようにして行なわれてよい。メモリ１４には、属性ごとに標準値が対応付けられた所定の標準値対応テーブル（図示せず）が記憶されており、制御部１２は、標準値対応テーブルよりユーザの属性に対応する標準値を読み出す。そして、従来より行なわれているような手法により、ユーザの測定値（今回の体組成の値）が、標準値と比較して、低いか、高いか、標準レベルか、などの評価を算出する。この場合、表示制御部１２２は、棒グラフの近傍に、ユーザの測定値と標準値との比較結果である評価情報を表示することが好ましい。
【００５６】
なお、図２に示した各機能ブロックの動作は、メモリ１４中に格納されたソフトウェアを実行することで実現されてもよいし、少なくとも１つについては、ハードウェアで実現されてもよい。
【００５７】
次に、メモリ１４の構造例について詳細に説明する。図４は、メモリ１４の構造例を示す図である。
【００５８】
図４を参照して、メモリ１４には、個人番号１に対応するユーザに関する情報を記憶するための領域１４１、個人番号２に対応するユーザに関する情報を記憶するための領域１４２、個人番号３に対応するユーザに関する情報を記憶するための領域１４３、個人番号４に対応するユーザに関する情報を記憶するための領域１４４、および、表示幅記憶領域１４５が含まれる。
【００５９】
領域１４１は、個人番号１に対応するユーザの身体情報を記憶するための身体情報記憶領域４１、個人番号１に対応するユーザの測定結果を記憶するための測定結果記憶領域４２、および、個人番号１に対応するユーザの基準値の情報を記憶するための基準値記憶領域４３を含む。他の個人番号に対応する領域１４２〜１４４についても、領域１４１と同様の記憶領域を含んでいるものとする。
【００６０】
「身体情報」とは、体組成算出のために必要な情報であり、たとえば、年齢、性別、身長および体重を含む。なお、本実施の形態における体組成計１００は、体重測定部２２を備えるため、身体情報記憶領域４１には、身体情報のうち、ユーザからの入力に基づく、年齢データ、性別データおよび身長データが記憶される。
【００６１】
測定結果記憶領域４２のデータ構造の一例を図５に示す。後に詳述する体組成測定処理が実行されると、ユーザが指定する個人番号に対応した測定結果記憶領域４２に、測定結果がレコードＲ単位で記憶される。レコードＲ（Ｒ１，Ｒ２，…，Ｒｎ）には、体組成測定の際（たとえば電位差検出の際）の日時データＤＴ、身体情報としての体重値データＷ、全身の体脂肪率データＦｗ、腕部の体脂肪率データＦａ、体幹部の体脂肪率データＦｔ、脚部の体脂肪率データＦｆ、全身の筋肉率データＭｗ、腕部の筋肉率データＭａ、体幹部の筋肉率データＭｔ、脚部の筋肉率データＭｆ、および、年齢指標データＡＩが含まれる。なお、これらのデータは、測定毎に対応付けされて各領域に格納されればよく、レコードＲを用いた格納形式に限定されるものではない。
【００６２】
基準値記憶領域４３のデータ構造の一例を図６に示す。基準値記憶領域４３には、基準値が設定／更新された日時（「設定日」という）を示すデータＤＴｒ、全身の体脂肪率の基準値データＦｗｒ、腕部の体脂肪率の基準値データＦａｒ、体幹部の体脂肪率の基準値データＦｔｒ、脚部の体脂肪率の基準値データＦｆｒ、全身の筋肉率の基準値データＭｗｒ、腕部の筋肉率の基準値データＭａｒ、体幹部の筋肉率の基準値データＭｔｒ、脚部の筋肉率の基準値データＭｆｒが格納される。
【００６３】
上述のように、本実施の形態では、個人番号ごとに各記憶領域を予め設けておくこととした。しかしながら、ユーザの身体情報、測定結果および基準値の情報が、個人番号と関連付けられて記憶されればよく、個人番号ごとの記憶領域を設けない構成であってもよい。
【００６４】
また、本実施の形態では、基準値の情報を記憶するために基準値記憶領域４３を設けることとしたが、このような専用の領域を設けない構成にしてもよい。たとえば、測定結果記憶領域４２に、いずれの測定結果データが基準値のデータであるかを識別できる識別データが含まれることとしてもよい。
【００６５】
表示幅記憶領域１４５には、予め、体脂肪率用テーブル４４および筋肉率用テーブル４５が含まれる。体脂肪率用テーブル４４および筋肉率用テーブル４５の内容例を図７に示す。図７（Ａ）は、体脂肪率用テーブル４４の内容例を示す図であり、図７（Ｂ）は、筋肉率用テーブル４５の内容例を示す図である。
【００６６】
図７（Ａ）を参照して、体脂肪率用テーブル４４において、体脂肪率についての基準値の範囲と、基準点（基準値）に対する表示幅とが対応付けられて記憶される。たとえば、体脂肪率の基準値‘１０％未満’には、表示幅‘（基準値−２．０）％〜（基準値＋２．０）％’が対応付けられている。体脂肪率の基準値‘１０％以上〜２５％未満’には、表示幅‘（基準値−３．０）％〜（基準値＋３．０）％’が対応付けられている。体脂肪率の基準値‘２５％以上’には、表示幅‘（基準値−４．０）％〜（基準値＋４．０）％’が対応付けられている。このように、本実施の形態では、基準の体脂肪率の値に応じて表示幅が定められている。これにより、基準時点の体脂肪率（基準値）が少ない場合であっても、ユーザは、詳細に、基準値からの変化度合を確認することができる。
【００６７】
図７（Ｂ）を参照して、筋肉率用テーブル４５において、筋肉率についての基準値の範囲と、基準点（基準値）に対する表示幅とが対応付けられて記憶される。ここでは、たとえば、筋肉率の基準値の全範囲について、‘（基準値−２．０）％〜（基準値＋２．０）％’の表示幅が対応付けられている。このように、本実施の形態では、基準の筋肉率の値にかかわらず、筋肉率の減少／増加を詳細に表示できるように一定の表示幅が定められている。なお、体脂肪率の場合と同様に、筋肉率の値に応じて表示幅を定めてもよい。
【００６８】
ところで、本実施の形態では、第１のブロック群に含まれるブロックの個数の方が、第２のブロック群に含まれるブロックの個数よりも多いため、‘−’側の方が‘＋’側よりも１ブロック当たりの変化幅（１ブロックが表示可能な値の幅）が小さくなる。このため、ユーザは、ダイエット時の体脂肪率の減少結果を詳細に把握することができる。
【００６９】
なお、このように、第１のブロック群に含まれるブロックの個数の方が、第２のブロック群に含まれるブロックの個数よりも多い場合でも、体脂肪率用テーブル４４および筋肉率用テーブル４５において、１ブロック当たりの変化幅が‘−’側と‘＋’側とで同じになるように定めておいてもよい。
【００７０】
あるいは、第１のブロック群に含まれるブロックの個数と第２のブロック群に含まれるブロックの個数とを同数に定めてもよい。
【００７１】
＜本発明の実施の形態１における体組成計の動作＞
図８は、本発明の実施の形態１における体組成計１００の制御部１２が実行する体組成測定処理を示すフローチャートである。なお、図８のフローチャートに示す処理は、予めプログラムとしてメモリ１４に格納されており、制御部１２がこのプログラムを読み出して実行することにより、体組成測定処理の機能が実現される。
【００７２】
図８を参照して、はじめに、制御部１２は、ユーザにより個人番号が指定されたか否かを判断する（ステップＳ２）。すなわち、ユーザによりボタン１６Ｈ〜１６Ｋのうちいずれか１つが押下されたか否かが判断される。制御部１２は、個人番号が指定されるまで待機する（ステップＳ２でＮＯ）。個人番号が指定されたと判断した場合（ステップＳ２でＹＥＳ）、ステップＳ４に進む。
【００７３】
ステップＳ４において、制御部１２は、測定ボタン１６Ｃが押下されたか否かを判断する。測定ボタン１６Ｃが押下されるまで待機する（ステップＳ４でＮＯ）。測定ボタン１６Ｃが押下されると（ステップＳ４でＹＥＳ）、ステップＳ６に進む。
【００７４】
ステップＳ６において、体組成算出部１２１は、ユーザにより指定された個人番号に対応する身体情報（身長、年齢、性別）を読み出す。たとえば、ステップＳ２において、個人番号１に対応する個人番号スイッチ１６Ｈが押下されたと仮定する。その場合、ステップＳ６において、身体情報記憶領域４１より、身長データ、年齢データおよび性別データが読み出される。読み出された身体情報は、内部メモリに一時記録される。
【００７５】
次に、体組成算出部１２１は、体重測定部２２からの信号に基づいて、体重を計測する（ステップＳ８）。計測された体重値は、内部メモリに一時記録される。
【００７６】
続いて、体組成算出部１２１は、インピーダンス計測処理を実行する（ステップＳ１０）。具体的には、検出部１１を制御して、全身インピーダンス、両手間インピーダンスおよび両足間インピーダンスを計測する。計測された各インピーダンスの値は、内部メモリに一時記録される。
【００７７】
体組成算出部１２１は、内部メモリに一時記録した各データと、上述したような所定の計算式等とに基づいて、ユーザの体組成を算出する（ステップＳ１２）。具体的には、ユーザの全身，腕部，体幹部，脚部それぞれの体脂肪率、全身，腕部，体幹部，脚部それぞれの筋肉率、および、年齢指標が算出される。そして、制御部１２は、測定結果すなわち、ステップＳ１２で算出された今回の体組成の値を測定結果記憶領域４２に記憶させる（ステップＳ１４）。
【００７８】
続いて、制御部１２は、測定結果記憶領域４２を参照して、週平均値を算出する（ステップＳ１５）。さらに、制御部１２は、ユーザの属性における一般評価を算出する（ステップＳ１６）。ステップＳ１５およびＳ１６における具体的な算出方法は上述のとおりである。
【００７９】
その後、表示制御部１２２によって測定結果表示処理が実行される（ステップＳ１８）。測定結果表示処理のサブルーチンを図９に示す。
【００８０】
図９を参照して、はじめに、表示制御部１２２は、基準値データが、指定された個人番号に対応する基準値記憶領域４３に記憶されているか否かを判断する（ステップＳ１０２）。基準値データが記憶されていると判断された場合（ステップＳ１０２でＹＥＳ）、ステップＳ１０４に進む。一方、基準値データが記憶されていないと判断された場合（ステップＳ１０２でＮＯ）、ステップＳ１０６に進む。
【００８１】
ステップＳ１０４において、表示制御部１２２は、体脂肪率のグラフにおける表示幅を選択する。具体的には、基準値記憶領域４３に記憶されている全身の体脂肪率の基準値データＦｗｒと、体脂肪率用テーブル４４とに基づいて、全ての被測定部（全身、腕部、体幹部および脚部）の体脂肪率グラフにおける表示幅を選択する。たとえば、全身の体脂肪率の基準値データＦｗｒが「２２％」を示していると仮定すると、各グラフにおける表示幅の下限は１９％となり、上限は２５％となる。つまり、この場合、体脂肪率１９％〜２５％が表示可能に設定される。ステップＳ１０４の処理が終わると、ステップＳ１０６に進む。
【００８２】
なお、本実施の形態では、全ての被測定部の体脂肪率グラフにおける表示幅を、全身の体脂肪率の基準値に基づいて定めることとしたが、このような手法に限定されるものではない。たとえば、被測定部ごとに対応するグラフの表示幅を選択してもよい。この場合、表示幅記憶領域１４５には、被測定部ごとに、基準値の範囲と表示幅とが対応付けられて記憶されてもよい。
【００８３】
また、筋肉率用テーブル４５において、基準の筋肉率の値に応じて表示幅が定められている場合には、ステップＳ１０４において、さらに、全ての被測定部の筋肉率グラフにおける表示幅が選択されるものとする。
【００８４】
ステップＳ１０６において、表示制御部１２２は、体脂肪率のグラフにおける反転表示のブロック数を算出する。具体的には、被測定部それぞれに対応するグラフごとに、測定値と基準値とステップＳ１０４で選択された表示幅とに基づいて、反転表示させるブロック数が算出される。
【００８５】
続いて、表示制御部１２２は、筋肉率のグラフにおける反転表示のブロック数を算出する（ステップＳ１０８）。具体的には、被測定部それぞれに対応するグラフごとに、測定値と基準値と所定の表示幅とに基づいて、反転表示させるブロック数が算出される。
【００８６】
なお、基準値記憶領域４３に基準値データが記憶されていない場合には、ステップＳ１０６およびＳ１０８において、表示制御部１２２は、測定値と、ユーザの属性における標準値と、所定の表示幅とに基づいて、反転表示させるブロック数を算出するものとする。この場合、各グラフにおいて、標準値の位置が、固定された所定の位置に対応することになる。
【００８７】
次に、表示制御部１２２は、表示部１５の第１表示画面１５Ａに体重を表示し、第２表示画面１５Ｂに体脂肪率のグラフを表示する（ステップＳ１１０）。ステップＳ１１０における画面表示例を図１０に示す。
【００８８】
図１０を参照して、表示部１５の第１表示画面１５Ａに、指定された個人番号を示す情報５１と、表示中の数値が体重であることを示す情報５２と、測定された体重を示す数値５３とが表示される。表示部１５の第２表示画面１５Ｂの領域１５Ｂ−１，１５Ｂ−２，１５Ｂ−３，１５Ｂ−４には、それぞれ、全身の体脂肪率、腕部の体脂肪率、体幹部の体脂肪率および脚部の体脂肪率のグラフＧ１，Ｇ２，Ｇ３，Ｇ４が表示される。これらの領域１５Ｂ−１，１５Ｂ−２，１５Ｂ−３，１５Ｂ−４には、それぞれ、今回の体脂肪率を示す数値６３，６４，６５，６６が表示される。そして、第２表示画面１５Ｂには、表示中の数値およびグラフが体脂肪率に関することを示す情報６１が表示される。
【００８９】
ここで、体脂肪率のグラフＧ１，Ｇ２，Ｇ３，Ｇ４について詳細に説明する。
体脂肪率のグラフＧ１，Ｇ２，Ｇ３，Ｇ４において、基準値の位置がライン６２によって示される。このライン６２の位置は、基準値や測定値にかかわらず固定される。ライン６２が基準値の位置に相当していることを識別できる情報（たとえば“ダイエットスタート時”という文字）を同時に表示することが好ましい。なお、本実施の形態ではこのようなライン６２が表示されるものとするが、基準値の位置が視認できればよく、このような例に限定されるものではない。
【００９０】
上述のように、各グラフＧ１，Ｇ２，Ｇ３，Ｇ４において、基準値のライン６２よりも前（「−」側）に配置された第１のブロック群ＢＧ１に含まれるブロックの個数は、基準値のライン６２よりも後ろ（「＋」側）に配置された第２のブロック群ＢＧ２に含まれるブロックの個数よりも多い。このため、今回の体脂肪率が基準値より増加した場合に比べ、基準値より減少した場合の方が、より詳細に体脂肪率の変化を表示することができる。
【００９１】
図１０に示されるように、各グラフにおいて、ステップＳ１０６で算出された個数分のブロックが反転表示される。反転表示されたブロックのうち右端のブロック、すなわち、今回の体脂肪率の位置を示すブロックＢＲ１は、点滅表示されてもよい。また、各グラフにおいて、ステップＳ１５で算出された週平均値の位置に相当するブロックＢＲ２が、他のブロックの表示色とは異なる色で表示される。さらに、各グラフの近傍には、ステップＳ１６で算出されたユーザの属性における一般評価を表わす評価情報６７が表示される。
【００９２】
再び図９を参照して、ステップＳ１１０の処理の後、表示制御部１２２は、表示中の体組成の種類を識別するための表示フラグＤＦをセットする（ステップＳ１１２）。その後、タイマをスタートして（ステップＳ１１４）、所定時間経過したか否かを判断する（ステップＳ１１６）。所定時間経過していない場合（ステップＳ１１６でＮＯ）、ステップＳ１１８に進む。
【００９３】
ステップＳ１１８において、表示制御部１２２は、表示切替ボタン１６Ｄが押下されたか否かを判断する。表示切替ボタン１６Ｄが押下されたと判断した場合（ステップＳ１１８でＹＥＳ）、ステップＳ１２２に進む。表示切替ボタン１６Ｄの押下が検知されない場合（ステップＳ１１８でＮＯ）、タイマをカウントして（ステップＳ１２０）、ステップＳ１１６に戻る。
【００９４】
ステップＳ１２２において、表示制御部１２２はタイマをストップする。そして、表示フラグＤＦがセットされているか否かが判断される（ステップＳ１２４）。表示フラグＤＦがセットされていると判断された場合（ステップＳ１２４でＹＥＳ）、ステップＳ１２６に進む。一方、表示フラグＤＦがセットされていないと判断された場合（ステップＳ１２４でＮＯ）、ステップＳ１１０に戻る。
【００９５】
ステップＳ１２６において、表示制御部１２２は、表示部１５の第１表示画面１５Ａに年齢指標を表示し、第２表示画面１５Ｂに筋肉率のグラフを表示する。ステップＳ１２６における画面表示例を図１１に示す。
【００９６】
図１１を参照して、表示部１５の第１表示画面１５Ａに、指定された個人番号を示す情報５１と、表示中の数値が年齢指標であることを示す情報５４と、算出された年齢指標を示す数値５５とが表示される。表示部１５の第２表示画面１５Ｂの領域１５Ｂ−１，１５Ｂ−２，１５Ｂ−３，１５Ｂ−４には、それぞれ、全身の筋肉率、腕部の筋肉率、体幹部の筋肉率および脚部の筋肉率のグラフＧ１１，Ｇ１２，Ｇ１３，Ｇ１４が表示される。これらの領域１５Ｂ−１，１５Ｂ−２，１５Ｂ−３，１５Ｂ−４には、それぞれ、今回の筋肉率を示す数値７３，７４，７５，７６が表示される。そして、第２表示画面１５Ｂには、表示中の数値およびグラフが筋肉率に関することを示す情報７１が表示される。
【００９７】
筋肉率のグラフＧ１１，Ｇ１２，Ｇ１３，Ｇ１４の態様は、上述の体脂肪率のグラフＧ１，Ｇ２，Ｇ３，Ｇ４と同様である。図１１に示されるように、各グラフにおいて、基準値の位置がライン６２によって示され、ステップＳ１０８で算出された個数分のブロックが反転表示される。なお、基準値の位置を示すライン６２は、体組成の種類に応じて異なってもよい。たとえば、筋肉率の場合、第１のブロック群ＢＧ１に含まれるブロックの個数と第２のブロック群ＢＧ２に含まれるブロックの個数とが同一となるような位置に、ライン６２が表示されてもよい。
【００９８】
図９に戻って、ステップＳ１２６の処理の後、表示制御部１２２は、表示フラグＤＦをクリアし（ステップＳ１２８）、ステップＳ１１４に戻る。このように、表示切替ボタン１６Ｄがユーザにより押下される度に、ユーザ所望の種類の体組成の情報が表示される。なお、ここでは、表示切替ボタン１６Ｄを押下すると、第１の表示画面１５Ａおよび第２の表示画面１５Ｂの両方の表示が切り替わることとしたが、このように同時に表示が切り替わるものでなくてもよい。
【００９９】
所定時間、表示切替ボタン１６Ｄの押下が検知されない場合、すなわち上記ステップＳ１１６において所定時間が経過した場合（ステップＳ１１６でＹＥＳ）、メインルーチンに処理は戻される。
【０１００】
再び図８を参照して、測定結果表示処理（ステップＳ１８）の後、制御部１２は、リセットボタン１６Ｅが押下されたか否かを判断する（ステップＳ２０）。リセットボタン１６Ｅの押下が検知されると（ステップＳ２０でＹＥＳ）、ステップＳ２２に進む。ステップＳ２０において所定時間リセットボタン１６Ｅの押下が検知されない場合（ステップＳ２０でＮＯ）、一連の測定処理は終了される。
【０１０１】
ステップＳ２２において、基準値記憶処理部１２３は、今回の体組成を基準値に設定する。つまり、基準値記憶領域４３に基準値の情報が記憶されていない場合（過去に一度も基準値の設定が行なわれていない場合）、ステップＳ１２で算出された体組成の値を、基準値記憶領域４３に格納する。基準値記憶領域４３に基準値の情報が記憶されている場合（過去に基準値の設定が行なわれていた場合）、基準値を、ステップＳ１２で算出された体組成の値に更新する。このように、リセットボタン１６Ｅが押下されると、次回以降の測定結果は、今回の体組成を基準として（今回を基準時点として）表示されることになる。ステップＳ２２の処理が終わると、一連の測定処理は終了される。
【０１０２】
上述のように、本実施の形態によると、基準値をリセットすることができるため、表示可能な体組成の値の範囲を自由に変動させることができる。また、長期ダイエットや短期ダイエットなど、ユーザ個人の計画に合わせて、基準値からの変化を表示することができる。さらに、基準値の位置が固定されているため、表示部１５における表示領域が小さくても、ユーザごとに、詳細な変化を表示することができる。
【０１０３】
なお、図９に示した測定結果表示処理の途中にリセットボタン１６Ｅが押下されると、メインルーチンのステップＳ２２に処理を進めることにしてもよい。
【０１０４】
以上説明したように、本実施の形態では、体組成測定処理の際にユーザによりリセットボタン１６Ｅが押下された場合に、基準値の設定／更新を行なうこととした。しかしながら、基準値の設定／更新は、このような場合に限定されるものではなく、過去の測定データより基準となる測定データをユーザに選択させてもよい。たとえば、制御部１２は、メモリボタン１６Ｂの押下を検知すると、測定結果記憶領域４２に記憶された過去の測定データを読み出して表示部１５に表示する。その際に、ユーザによりリセットボタン１６Ｅが押下されると、基準値記憶処理部１２３は、カーソルが選択している測定データに対応する体組成の値を基準値に設定／更新することとしてもよい。
【０１０５】
また、本実施の形態では、測定結果表示処理の度に、基準値に基づいてグラフの表示幅を選択することとしたが、このような手法に限定されるものではない。たとえば、基準値の記憶処理を行なう際（ステップＳ２２）に、基準値記憶領域４３に各グラフの表示幅の情報も対応付けて記憶させておいてもよい。この場合、ステップＳ１０４において、表示制御部１２２は、基準値記憶領域４３に記憶された表示幅の情報に基づいて、体脂肪率のグラフにおける表示幅を決定することになる。
【０１０６】
なお、上記実施の形態１では、ユーザによって指定されるまで基準値の設定／更新は行なわないものであった。これにより、ユーザ所望の時点を基準時点とすることができる。しかしながら、基準値の設定／更新はこのようなタイミングに限定されるものではない。たとえば、各ユーザの最初の測定値を自動的に基準値に設定することとしてもよい。
【０１０７】
あるいは、以下の変形例に示すようなタイミングで基準値の設定／更新が行なわれてもよい。なお、以下の変形例の説明においても、実施の形態１における体組成計１００と同じ符号を用いる。
【０１０８】
（変形例１）
実施の形態１の変形例１について、図１２を用いて説明する。
【０１０９】
図１２は、本発明の実施の形態１の変形例１における体組成計１００の制御部１２が実行する体組成測定処理を示すフローチャートである。実施の形態１において図８に示した体組成測定処理と同様の処理については、同じステップ番号を付し、ここでの説明は繰返さない。
【０１１０】
変形例１では、ステップＳ２０において、所定時間リセットボタン１６Ｅの押下が検知されない場合（ステップＳ２０でＮＯ）、ステップＳ３２に進む。ステップＳ３２において、基準値記憶処理部１２３は、基準値データが、指定された個人番号に対応する基準値記憶領域４３に記憶されているか否かを判断する。基準値データが記憶されていると判断された場合（ステップＳ３２でＹＥＳ）、測定処理は終了される。一方、基準値データが記憶されていないと判断された場合（ステップＳ３２でＮＯ）、ステップＳ３４に済む。
【０１１１】
ステップＳ３４において、基準値記憶処理部１２３は、測定結果記憶領域４２を参照して、所定期間（たとえば１週間）分の測定結果が存在するか否かを判断する。１週間分の測定結果が存在しない場合（ステップＳ３４でＮＯ）、測定処理は終了される。一方、１週間分の測定結果が存在すると判断された場合（ステップＳ３４でＹＥＳ）、ステップＳ３６に進む。
【０１１２】
ステップＳ３６において、基準値記憶処理部１２３は、週平均値を基準値に設定する。より詳細には、基準値記憶処理部１２３は、ステップＳ１５で算出された週平均値を基準値として、基準値記憶領域４３に格納する。ステップＳ３６の処理が終わると、測定処理は終了される。
【０１１３】
実施の形態１の変形例１によると、所定期間（たとえば１週間）ユーザによる基準値の指定がなければ、当該期間の平均値を基準値として設定する。このため、ユーザがリセットボタン１６Ｅの操作方法を理解できていない場合でも、自動的に基準値を設定することができる。
【０１１４】
なお、ステップＳ３６において週平均値を基準値に設定する前に、ユーザに週平均値を基準値に設定してもよいかを問い合わせてもよい。
【０１１５】
（変形例２）
実施の形態１の変形例２について、図１３を用いて説明する。
【０１１６】
図１３は、本発明の実施の形態１の変形例２における体組成計１００の制御部１２が実行する体組成測定処理を示すフローチャートである。実施の形態１において図８に示した体組成測定処理と同様の処理については、同じステップ番号を付し、ここでの説明は繰返さない。
【０１１７】
変形例２では、ステップＳ１８（測定結果表示処理）とステップＳ２０（リセットボタンが押下されたか否かの判断処理）との間に、ステップＳ１９Ａ，Ｓ１９Ｂの処理が追加される。
【０１１８】
ステップＳ１９Ａにおいて、制御部１２は、基準値記憶領域４３の日時データＤＴｒを参照して、基準値データの設定日から所定期間（たとえば１ヶ月）経過したか否かを判断する。設定日より１ヶ月経過していると判断された場合（ステップＳ１９ＡでＹＥＳ）、ステップＳ１９Ｂに進む。設定日より１ヶ月経過していないと判断されたい場合（ステップＳ１９ＡでＮＯ）、測定処理は終了される。
【０１１９】
ステップＳ１９Ｂにおいて、制御部１２は、基準値の更新を促進する。具体的には、たとえば、表示部１５に「基準値の更新をお勧めします。」といったメッセージを表示することにより、ユーザに対し、基準値を更新するよう報知する。
【０１２０】
ステップＳ１９Ｂの処理が終わると、上述のステップＳ２０に進む。
たとえば生活習慣病改善のための減量などでは、１ヶ月あるいは３ヶ月単位で健康管理をすることが好ましい。実施の形態１の変形例２によると、基準値データの設定日より所定期間（たとえば１ヶ月）経過すると、ユーザに対し、基準値を更新するよう報知する。これにより、ユーザは、所定期間単位での健康管理を行ないやすくなる。
【０１２１】
（変形例３）
実施の形態１の変形例３について、図１４を用いて説明する。
【０１２２】
図１４は、本発明の実施の形態１の変形例３における体組成計１００の制御部１２が実行する体組成測定処理を示すフローチャートである。実施の形態１において図８に示した体組成測定処理と同様の処理については、同じステップ番号を付し、ここでの説明は繰返さない。
【０１２３】
変形例３では、ステップＳ２０において、所定時間リセットボタン１６Ｅの押下が検知されない場合（ステップＳ２０でＮＯ）、ステップＳ２１に進む。ステップＳ２１において、制御部１２は、今回の体脂肪率の値または筋肉率の値が、各グラフにおいて、表示可能な範囲の上限または下限に達したか否かを判断する。つまり、体脂肪率のグラフおよび筋肉率のグラフのうち少なくともいずれかのブロック数が、上限または下限に到達したか否かが判断される。本発明の実施の形態１の変形例３では、各グラフは、２０個のブロックを有しているため、具体的には、ステップＳ１０６で算出されたブロック数またはステップＳ１０８で算出されたブロック数が、１または２０であるか否かが判断される。
【０１２４】
今回の体脂肪率の値または筋肉率の値が、各グラフにおいて、表示可能な範囲の上限または下限に達したと判断された場合（ステップＳ２１でＹＥＳ）、上述のステップＳ２２に進む。今回の体脂肪率の値および筋肉率の値の双方が、各グラフにおいて、表示可能な範囲の上限または下限に達していないと判断された場合（ステップＳ２１でＮＯ）、測定処理は終了される。
【０１２５】
なお、ここでは、今回の体脂肪率の値および筋肉率の値の少なくともいずれかが、各グラフにおいて、表示可能な範囲の上限または下限に達した場合に、自動的に基準値を更新することとしたが、このような場合、ユーザに対し、基準値を更新するよう促すこととしてもよい。また、変形例３では、体脂肪率の値および筋肉率の値のいずれかが、各グラフにおいて、１回でも表示可能な範囲の上限または下限に達すると基準値を更新することとしたが、２回以上表示可能な範囲の上限または下限に達した場合にのみ、基準値を更新することとしてもよい。
【０１２６】
（変形例４）
実施の形態１の変形例４について、図１５を用いて説明する。
【０１２７】
図１５は、本発明の実施の形態１の変形例４における体組成計１００の制御部１２が実行する体組成測定処理を示すフローチャートである。実施の形態１において図８に示した体組成測定処理と同様の処理については、同じステップ番号を付し、ここでの説明は繰返さない。
【０１２８】
変形例４では、ステップＳ２０において、所定時間リセットボタン１６Ｅの押下が検知されない場合（ステップＳ２０でＮＯ）、ステップＳ４２に進む。ステップＳ４２において、制御部１２は、今回の体脂肪率の値または筋肉率の値が、各グラフにおいて、表示可能な範囲の上限または下限に近づいたか否かを判断する。つまり、体脂肪率のグラフおよび筋肉率のグラフのうち少なくともいずれかのブロック数が、‘上限−所定数’個に到達したか、または、‘下限＋所定数’個に到達したか否かが判断される。本発明の実施の形態１の変形例４では、各グラフは、２０個のブロックを有しているため、具体的には、ステップＳ１０６で算出されたブロック数またはステップＳ１０８で算出されたブロック数が、たとえば２以下または１９以上であるか否かが判断される。
【０１２９】
今回の体脂肪率の値および筋肉率の値の双方が、各グラフにおいて、表示可能な範囲の上限または下限に近づいていないと判断された場合（ステップＳ４２でＮＯ）、測定処理は終了される。一方、今回の体脂肪率の値または筋肉率の値が、各グラフにおいて、表示可能な範囲の上限または下限に近づいたと判断された場合（ステップＳ４２でＹＥＳ）、ステップＳ４４に進む。
【０１３０】
ステップＳ４４において、制御部１２は、基準値の更新を促進する。具体的には、たとえば、表示部１５に「基準値の更新をお勧めします。」といったメッセージを表示することにより、ユーザに対し、基準値を更新するよう報知する。
【０１３１】
次に、制御部１２は、再び、リセットボタン１６Ｅが押下されたか否かを判断する（ステップＳ４６）。リセットボタン１６Ｅが押下されたと判断した場合（ステップＳ４６でＹＥＳ）、上述のステップＳ２２に進む。一方、リセットボタン１６Ｅの押下が検知されない場合（ステップＳ４６でＮＯ）、測定処理は終了される。
【０１３２】
なお、ここでは、測定結果表示処理（Ｓ１８）の後、ユーザによってリセットボタン１６Ｅが押下されなかった場合に、ステップＳ４２〜Ｓ４６の処理を行なうこととしたが、このような手順に限定されるものではない。たとえば、測定結果表示処理（Ｓ１８）とステップＳ２０の処理との間に、ステップＳ４２およびＳ４４の処理を挿入してもよい。この場合、ステップＳ４６の処理は不要となる。
【０１３３】
［実施の形態２］
上記実施の形態１およびその変形例１〜４では、所定のグラフに、測定値の位置と基準値の位置とを表示することで、測定値が基準値よりどれ位変化したかをユーザに報知することができた。実施の形態２では、さらに、測定値が、ユーザが設定した目標値に近づいたか否かを示す情報を表示するものである。
【０１３４】
実施の形態２では、測定結果表示処理が実施の形態１と異なる。なお、実施の形態２における体組成計の構成および基本的な動作は実施の形態１の体組成計と同様である。したがって、ここでも、実施の形態１で用いた符号を引用して、実施の形態１との相違点について説明する。
【０１３５】
実施の形態２のメモリ１４の領域１４１〜１４４には、ユーザごとに、入力された目標値を記憶するための目標値記憶領域（図示せず）がさらに含まれるものと仮定する。
【０１３６】
図１６は、本発明の実施の形態２における測定結果表示処理を示すフローチャートである。実施の形態１において図９に示した測定結果表示処理と同様の処理については、同じステップ番号を付し、ここでの説明は繰返さない。
【０１３７】
図１６を参照して、実施の形態２では、ステップＳ１０６とステップＳ１０８との間にステップＳ１０７が挿入される。また、ステップＳ１０８とステップＳ１１０（ここではＳ１１０Ａ）との間にステップＳ１０９が挿入される。また、ステップＳ１１０に代えてステップＳ１１０Ａの処理が行なわれ、ステップＳ１２６に代えてステップＳ１２６Ａの処理が行なわれる。
【０１３８】
ステップＳ１０７において、表示制御部１２２は、今回の体脂肪率が目標値に近づいたか否かに基づき、アクティブマークとキープマークとのうち一方を選択する。アクティブマークは、目標値に近づいていることを示す所定のシンボルマークであり、キープマークは、目標値に近づいていないことを示す所定のシンボルマークである。ステップＳ１０７において、具体的には、たとえば、今回の全身の体脂肪率の値が、前回の全身の体脂肪率の測定値よりも目標値に近づいている場合、アクティブマークが選択される。これに対し、今回の全身の体脂肪率の値が、前回の全身の体脂肪率の測定値よりも目標値に近づいていない場合、キープマークが選択される。
【０１３９】
ステップＳ１０９において、表示制御部１２２は、今回の筋肉率が目標値に近づいたか否かに基づき、アクティブマークとキープマークとのうち一方を選択する。ステップＳ１０９において、具体的には、たとえば、今回の全身の筋肉率の値が、前回の全身の筋肉率の測定値よりも目標値に近づいている場合、アクティブマークが選択される。これに対し、今回の全身の筋肉率の値が、前回の全身の筋肉率の測定値よりも目標値に近づいていない場合、キープマークが選択される。
【０１４０】
その結果、ステップＳ１１０Ａにおいて、表示制御部１２２は、第１表示画面１５Ａに、実施の形態１と同様に今回の体重を表示し、第２表示画面１５Ｂには、体脂肪率のグラフとともに、ステップＳ１０７で選択されたマークを表示する。また、ステップＳ１２６Ａにおいて、表示制御部１２２は、第１表示画面１５Ａに、実施の形態１と同様に今回の年齢指標を表示し、第２表示画面１５Ｂには、筋肉率のグラフとともに、ステップＳ１０９で選択されたマークを表示する。
【０１４１】
ステップＳ１１０Ａにおける画面表示例を図１７に示す。
図１７を参照して、表示部１５の第２表示画面１５Ｂの領域１５Ｂ−１において、アクティブマーク７２が点滅表示され、キープマーク７１が非点滅表示（グレー表示）される。これにより、今回の全身の体脂肪率が、前回に比べて目標値に近づいていることが、ユーザに知らせられる。
【０１４２】
なお、ステップＳ１２６Ａにおいても、図１７と同様の形態で、アクティブ／キープマークが表示されるものとする。
【０１４３】
このように、本実施の形態では、今回の体組成の値が、基準値からどれ位変化したかを示すだけではなく、さらに、今回の体組成の値が、目標値に近づいているか否かを報知することができる。したがって、ユーザは、自身の体組成の値がどのように変化しているのかをより詳細に理解することができる。
【０１４４】
なお、アクティブ／キープマークの態様は、図１７に示したような態様に限定されるものではない。
【０１４５】
また、実施の形態２では、今回の体組成の値が目標値に近づいているか否かの比較対象を、前回の測定値として説明したが、前回に限定されるものではない。比較対象は、今回以前の測定に関する値であればよく、たとえば、週平均値であってもよい。
【０１４６】
また、実施の形態２では、今回の体組成の値が、以前よりも目標値に近づいたか否かに基づき、アクティブ／キープマークが選択された。しかしながら、以下の変形例のような条件に基づき、アクティブ／キープマークが選択されてもよい。
【０１４７】
（変形例）
実施の形態２の変形例では、表示制御部１２２は、今回の体組成が以前よりも望ましい傾向に変化したか否かに基づいて、アクティブ／キープマークを選択する。
【０１４８】
図１８は、本発明の実施の形態２の変形例における測定結果表示処理を示すフローチャートである。実施の形態１において図９に示した測定結果表示処理と同様の処理については、同じステップ番号を付し、ここでの説明は繰返さない。
【０１４９】
図１８を参照して、実施の形態２の変形例では、ステップＳ１０８とステップＳ１１０（ここではＳ１１０Ｂ）との間にステップＳ１０９１〜Ｓ１０９３が挿入される。また、ステップＳ１１０に代えてステップＳ１１０Ｂの処理が行なわれ、ステップＳ１２６に代えてステップＳ１２６Ｂの処理が行なわれる。
【０１５０】
ステップＳ１０９１において、表示制御部１２２は、前回よりも望ましい変化であるか否かを判断する。たとえば、前回よりも、体脂肪が減少し、筋肉が増加傾向にあれば、望ましい変化であると判断する。より詳細には、次のような条件式を満たした場合に、望ましい変化であると判断されてよい。
【０１５１】
ｐ２−ｐ１≧２［％］
ｐｌ＝｛（前回の筋肉率）／（前回の筋肉率＋前回の体脂肪率）｝×１００
ｐ２＝｛（今回の筋肉率）／（今回の筋肉率＋今回の体脂肪率）｝×１００。
【０１５２】
たとえば、前回の筋肉率が３５％、前回の体脂肪率が２０％、今回の筋肉率が３０％、今回の体脂肪率が２５％の場合、ｐ２−ｐ１＝−９．１となるため、表示制御部１２２により、望ましい変化でないと判断される。
【０１５３】
これに対し、たとえば、前回の筋肉率が３０％、前回の体脂肪率が２７％、今回の筋肉率が３３％、今回の体脂肪率が２３％の場合、ｐ２−ｐ１＝６．３となるため、表示制御部１２２により、望ましい変化であると判断される。
【０１５４】
ステップＳ１０９１において、前回よりも望ましい変化であると判断された場合（ステップＳ１０９１でＹＥＳ）、表示制御部１２２は、アクティブマークを選択する（ステップＳ１０９２）。一方、前回よりも望ましい変化でないと判断された場合（ステップＳ１０９１でＮＯ）、表示制御部１２２は、キープマークを選択する（ステップＳ１０９３）。
【０１５５】
その結果、ステップＳ１１０Ｂにおいて、表示制御部１２２は、第１表示画面１５Ａに、今回の体重と選択されたマークとを表示し、第２表示画面１５Ｂには、実施の形態１と同様に体脂肪率のグラフを表示する。また、ステップＳ１２６Ｂにおいて、表示制御部１２２は、第１表示画面１５Ａに、今回の年齢指標と選択されたマークとを表示し、第２表示画面１５Ｂには、実施の形態１と同様に筋肉率のグラフを表示する。
【０１５６】
このように、実施の形態２の変形例においても、今回の体組成の値が、基準値からどれ位変化したかを示すだけではなく、さらに、今回の体組成の値が、以前よりも望ましい傾向に変化しているか否かを報知することができる。したがって、ユーザは、自身の体組成の値がどのように変化しているのかをより詳細に理解することができる。
【０１５７】
なお、実施の形態２の変形例においても、望ましい変化か否かの比較対象を、前回の測定値として説明したが、前回に限定されるものではない。比較対象は、今回以前の測定に関する値であればよく、たとえば、週平均値であってもよい。
【０１５８】
ステップＳ１１０Ｂにおける画面表示例を図１９に示す。
図１９を参照して、表示部１５の第１表示画面１５Ａにおいて、アクティブマーク７２が点滅表示され、キープマーク７１が非点滅表示（グレー表示）される。これにより、今回の測定値が、前回に比べて望ましい傾向に変化していることが、ユーザに知らせられる。
【０１５９】
なお、ステップＳ１２６Ｂにおいても、図１９と同様に、第１表示画面１５Ａにアクティブ／キープマークが表示されてよい。
【０１６０】
上記各実施の形態において、所定のグラフは、棒グラフであるものとして説明したが、今回の体組成の位置と基準値の位置とが表示できれば棒グラフに限定されない。たとえば、図２０に示すようなレイダーチャートグラフであってもよい。このようなレイダーチャートグラフにおいても、基準値の位置を示すライン８１を固定された所定の位置に表示させることで、各実施の形態と同様の効果を奏することができる。
【０１６１】
また、本発明の体組成計が行なう、体組成の表示方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１６２】
提供されるプログラム製品は、フラッシュメモリなどのプログラム格納部にインストールされて実行される。なお、プログラム製品は、プログラム自体と、プログラムが記録された記録媒体とを含む。
【０１６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６４】
【図１】本発明の各実施の形態における体組成計の外観の一例を示す図である。
【図２】本発明の各実施の形態における体組成計のハードウェア構成を示すブロック図である。
【図３】操作部に含まれる複数のボタンの具体例を示す図である。
【図４】メモリの構造例を示す図である。
【図５】測定結果記憶領域のデータ構造の一例を示す図である。
【図６】基準値記憶領域のデータ構造の一例を示す図である。
【図７】（Ａ）は、体脂肪率用テーブルの内容例を示す図であり、（Ｂ）は、筋肉率用テーブルの内容例を示す図である。
【図８】本発明の実施の形態１および２における体組成計の制御部が実行する体組成測定処理を示すフローチャートである。
【図９】本発明の実施の形態１およびその変形例における測定結果表示処理を示すフローチャートである。
【図１０】図９のステップＳ１１０における画面表示例を示す図である。
【図１１】図９のステップＳ１２６における画面表示例を示す図である。
【図１２】本発明の実施の形態１の変形例１における体組成計の制御部が実行する体組成測定処理を示すフローチャートである。
【図１３】本発明の実施の形態１の変形例２における体組成計の制御部が実行する体組成測定処理を示すフローチャートである。
【図１４】本発明の実施の形態１の変形例３における体組成計の制御部が実行する体組成測定処理を示すフローチャートである。
【図１５】本発明の実施の形態１の変形例４における体組成計の制御部が実行する体組成測定処理を示すフローチャートである。
【図１６】本発明の実施の形態２における測定結果表示処理を示すフローチャートである。
【図１７】図１６のステップＳ１１０Ａにおける画面表示例を示す図である。
【図１８】本発明の実施の形態２の変形例における測定結果表示処理を示すフローチャートである。
【図１９】図１８のステップＳ１１０Ｂにおける画面表示例を示す図である。
【図２０】グラフの変形例を示す図である。
【符号の説明】
【０１６５】
１  上肢ユニット、２  下肢ユニット、３  ケーブル、１０ａ  本体部、１０ｂ，１０ｃ  グリップ、１１  検出部、１２  制御部、１３  タイマ、１４  メモリ、１５  表示部、１６  操作部、１６Ａ  電源ボタン、１６Ｂ  メモリボタン、１６Ｃ  測定ボタン、１６Ｄ  表示切替ボタン、１６Ｅ  リセットボタン、１６Ｆ  左ボタン、１６Ｇ  右ボタン、１６Ｈ，１６Ｉ，１６Ｊ，１６Ｋ  個人番号ボタン、１７  電源部、２０  収納部、２２  体重測定部、４１  身体情報記憶領域、４２  測定結果記憶領域、４３  基準値記憶領域、４４  体脂肪率用テーブル、４５  筋肉率用テーブル、１００  体組成計、１２１  体組成算出部、１２２  表示制御部、１２３  基準値記憶処理部、Ｅ１１，Ｅ１２，Ｅ１３，Ｅ１４，Ｅ２１，Ｅ２２，Ｅ２３，Ｅ２４  電極、Ｇ１，Ｇ２，Ｇ３，Ｇ４，Ｇ１１，Ｇ１２，Ｇ１３，Ｇ１４  グラフ。
【図１】
2007244728.tif 000003
【図２】
2007244728.tif 000004
【図３】
2007244728.tif 000005
【図４】
2007244728.tif 000006
【図５】
2007244728.tif 000007
【図６】
2007244728.tif 000008
【図７】
2007244728.tif 000009
【図８】
2007244728.tif 000010
【図９】
2007244728.tif 000011
【図１０】
2007244728.tif 000012
【図１１】
2007244728.tif 000013
【図１２】
2007244728.tif 000014
【図１３】
2007244728.tif 000015
【図１４】
2007244728.tif 000016
【図１５】
2007244728.tif 000017
【図１６】
2007244728.tif 000018
【図１７】
2007244728.tif 000019
【図１８】
2007244728.tif 000020
【図１９】
2007244728.tif 000021
【図２０】
2007244728.tif 000022